【事件の表示】
　平成　９年特許願第２８５０８７号「自動改札機用集札装置」拒絶査定不服審判事件〔平成１１年　４月３０日出願公開、特開平１１−１２０３９０〕について、次のとおり審決する。
【結　論】
　本件審判の請求は、成り立たない。
【理　由】
１．手続の経緯、本願発明
　本願は、平成９年１０月１７日の出願であって、その請求項１に係る発明は、平成１４年７月５日付手続補正書、平成１５年３月３日付手続補正書、平成１６年１１月１２日付手続補正書によって補正された明細書及び図面の記載からみて、その特許請求の範囲の請求項１に記載された次のとおりのものと認める（以下、「本願発明」という）。
　「自動改札機の投入口に投入された乗車券をその自動改札機の返却口側に向けて搬送させる、駆動モータによって駆動される主搬送路と、
　前記主搬送路で前記乗車券が搬送される途中、磁気ヘッドを介して読取，書込処理を行うとともに、必要に応じてパンチ・印字部によりパンチングや印字を行う処理手段と、
　前記主搬送路の前記自動改札機の返却口側及びその自動改札機の返却口間に設けられ、前記駆動モータによって駆動される乗車券を搬送させる返却搬送路と、
　前記返却搬送路の前記自動改札機の返却口側と反対側及びその自動改札機内に設けられた回収箱間に設けられ、その返却搬送路からの乗車券をその回収箱に導く回収路と、
　前記主搬送路の前記自動改札機の返却口側及び前記返却搬送路のその自動改札機の返却口側と反対側間に設けられるとともに、その返却搬送路のその自動改札機の返却口側と反対側及び前記回収路の前記回収箱側と反対側間に設けられ、乗車券をその主搬送路からその返却搬送路又はその返却搬送路からその回収路へ導くための可動ウイングからなるウイング機構と、
　前記自動改札機の投入口に乗車券が投入されたときに、前記駆動モータを正回転させて前記主搬送路、前記ウイング機構及び前記返却搬送路を介してその乗車券をその自動改札機の返却口に搬送させ、その自動改札機の返却口に乗車券が放置されたときに、その駆動モータを逆回転させてその返却搬送路、そのウイング機構及び前記回収路を介してその乗車券を前記回収箱へ回収するようにその駆動モータを制御する制御手段と、
　からなることを特徴とする自動改札機用集札装置。」
　
２．引用例
　当審の拒絶の理由に引用された特開平６−１５００９０号公報（以下、「引用例」という）には、図面とともに以下のことが記載されている。
　「【産業上の利用分野】本発明は、遊園地などのクローズドエリア，あるいはエリア内の遊戯施設の入口に設置した自動改札用のカード式ゲート装置に関する。」（段落【０００１】）、
　「本発明は上記の点にかんがみなされたものであり、その目的は前記課題を解決し、入場者がカード取出口に搬出された自分のカードを取り忘れた場合でも、取り忘れカードを速やかにカード搬送路から自動的に回収して次回のカード受付を再開できるようにしたカード式ゲート装置を提供することにある。」（段落【０００６】）、
　「ここで、前記構成におけるカード回収手段は、ゲート本体内に収容したカード回収箱と、カード取出口の手前でカード搬送路より分岐して前記カード回収箱へ通じるカード回収通路と、カード搬送路とカード回収通路との分岐点に設置し、かつ制御指令に基づいてカードの搬送経路をカード取出口側からカード回収通路側に切換えるセレクト機構とから構成するものとする。」（段落【０００８】）、
　「【作用】上記の構成で、入場者がカード挿入口にカードを投入すると、機内のカード判定部でカードの有効，無効が判定され、カードが有効と判定されるとゲート扉を開放するとともに、カードをカード取出口に搬出する。ここで、入場者がカードをカード取出口から抜き取らずに放置したままゲートから退出した場合には、カード取出口側に設けたカード検出センサの「カード有り」信号が時間を経過しても変化しないので、これを基にカード搬出から一定時間（数秒）経過した時点でゲートコントローラがカードの取り忘れと認識してカード回収指令を出力する。この指令によりカード搬送手段であるベルト式カード搬送機構の駆動モータが逆転してカード取出口に止まっている取り忘れカードを機内のカード搬送路に引き込み、カード回収通路との分岐点より手前に設けたカード検出センサの位置まで逆戻りさせる。続いてセレクト機構をカード回収通路側に切換えた上で前記駆動モータを正転する。これにより取り忘れカードは搬送路の分岐点からカード回収通路側に入り、該通路に設けたカード検出センサ通過してカード回収箱に回収される。そして、カード回収通路のカード検出センサがカード通過を検出すると、この信号を基にカード挿入口のシャッタが開放動作し、次回のカード受付を停滞なく再開する。」（段落【００１０】）、
　「【実施例】以下、本発明の実施例を図１ないし図３に基づいて説明する。なお、実施例の図中で図５と対応する同一部材には同じ符号が付してある。まず、図１において、ゲート本体１の上部側にはカード挿入口５とカード取出口６，無効カード返却口７との間のカード搬送に沿って、カード挿入口５の背後に配備したシャッタ９、カード引き込み用のベルト式搬送機構１０，カードリーダ／ライタ１１、ベルト式のカード搬送機構１２を備えている。ここまでの構成は従来装置と同様である。なお、１１ａ，１１ｂ，１１ｃはそれぞれリード磁気ヘッド，ライト磁気ヘッド，ベリファイ（照合）磁気ヘッド、１２ａはカード搬送機構１２の駆動モータ、１３は無効カード返却口７に通じる分岐点に設けたセレクト機構である。
　一方、ゲート本体１の後端部（ゲート通路の出口側）には取り忘れカードを回収するカード回収箱１４が収容してあり、これに対向してゲート本体１の後端には鍵付きの点検扉１５を備えている。また、前記カード搬送機構１２の搬送路の途中から分岐してカード回収箱１４との間にカード回収通路１６，回収シュータ１６ａが設けてあり、さらに前記カード搬送路の分岐点にはカードの搬送経路をカード取出口６，カード回収通路１６のいずれかに切換えるセレクト機構１７を備えており、これらで取り忘れカードの回収部を構成している。」（段落【００１２】〜【００１３】）、
　「また、図２は前記したカード回収部周辺の詳細構造を表す図であり、図において１２ｂ，１２ｃはカード搬送路を挟んで上下に対向する搬送ベルト、１２ｄ，１２ｅは搬送ベルト１２ｂ，１２ｃの終端に配したベルトローラである。なお、ベルトローラ１２ｅはリンク１２ｆ，バネ１２ｇを介してベルトローラ１２ｄに向けて押圧付勢されている。
　また、セレクト機構１７は支軸１７ａに軸支した揺動式のセレクタ１７ｂと、該セレクタ１７ｂを揺動操作するソレノイド１７ｃと、セレクタ１７ｂを定常位置に付勢するバネ１７ｄとの組合わせからなる。ここで、セレクタ１７ｂは前記ベルトローラ１２ｄ，１２ｅとの対向面が円弧面であり、かつ定常位置ではバネ１７ｄの付勢により支軸１７ａを中心に時計方向に揺動し、上側のベルトローラ１２ｄとの間にカード取出口６へ向けてカードの通過を許容する通路を確保している。これに対して、ソレノイド１７ｃを動作させると、付勢バネ１７ｄに抗してセレクタ１７ｂが反時計方向に揺動し、ベルトローラ１２ｄとの間の通路を塞ぐとともに、下側に並ぶベルトローラ１２ｅとの間に回収通路１６に通じる隙間を形成する。
　さらに、カード取出口６に通じるカード搬送路の終端箇所，およびガイドローラ１２ｄ，１２ｅから少なくともカード１枚分に相当する距離を隔ててカード搬送路の上流側にはそれぞれ光電式のカード検出センサ１８，１９が、またカード回収通路１６にはカード検出センサ２０が配備されている。なお、これらカード検出センサの検出信号は図示されてないゲートコントローラに入力され、後述のようにカード回収動作の制御信号として使われる。」（段落【００１４】〜【００１６】）、
　「次に前記構成によるカードの処理動作を図４に示したフローチャートを基に説明する。まず、入場者がカード９をカード挿入口５に挿入すると、カード引き込み用の搬送機構１０がカードを機内に引き込むと同時にシャッタ９が閉じて次のカード受付を一時的に停止する。一方、カード８は後段のカードリーダ／ライタ１１に受け渡されてカードの情報が読み取られ、別な信号処理部でカードの有効，無効を判定するとともに、カードの記録情報を書替え，照合した上で後段のカード搬送機構１２に受け渡す。ここで、カード８が有効カードと判定されると、ゲート扉４を開放するとともに、カード８は搬送路途中のセレクト機構１７を通過してカード取出口６に搬出される。これに対してカード８が無効カードと判定されると、ゲート扉４は閉じたまま、ゲートコントローラからの指令によりセレクト機構１３が作動してカード８は搬送路の途中から無効カード返却口７に搬出される。ここまでの動作は従来装置と同様である。」（段落【００１７】参照）、
　「ところで、カード取出口６に搬出されたカード８はカード検出センサ１８が検出しており、ここで入場者がカード８を取出口６から抜き取るのを忘れてゲートから退出すた場合には、カードが放置されたままとなるので検出センサ１８の信号はいつまでも「カード有り」の状態を保つ。ここで、あらかじめ設定した時間Ｔ（数秒程度）を経過してもせセンサ１８の「カード有り」信号が変化しない場合には、ゲートコントローラが「カード取り忘れ」と判定してカード回収指令を出力し、この指令に基づいて次記のような動作順序で取り忘れカードを搬送路からカード回収箱１４に取り込んで回収する。
　すなわち、カード回収指令が与えられると、まずカード搬送機構１２の駆動モータ１２ａが逆転し、カード取出口６に停滞していたカード８を機内のカード搬送路に引き込み、セレクト機構１７よりも上流側のカード検出センサ１９まで逆搬送した後停止する。次にセレクト機構１７のソレノイド１７ｃに信号を送ってセレクタ１７ｂを揺動動作させ、カードの搬送経路をカード回収通路１６側に切換えた後に、駆動モータ１２ａを再び正転に切換える。これにより、カード８はセレクタ１７ｂとベルトローラ１２ｅとの間の隙間を通ってカード回収通路１６に入り、点線矢印で表すようにシュータ１６ａを通過してカード回収箱１４の中に投入される。また、回収通路１６を通過したカード８はカード検出センサ２０により検出され、カード搬送路からカードが排除されたことが確認されると、この信号を受けていままでカード挿入口５を閉じていたシャッタ９が開放し、次回のカード受付を再開する。これにより、入場者のカードの取り忘れがあった場合でも速やかにカード受付を再開するので、後続の入場者はゲート入口で長い時間待たされることなく入場手続きを行うことができる。」（段落【００１８】〜【００１９】）。
　なお、図１及び図３には、参照番号は付されていないが、ベルトローラ１２ｄに懸架されたベルト（鎖線で図示されている）とかみ合うカード取出口側に設けられたローラ（以下、「取出側のローラ」という。）があり、該ローラはもう一つのローラと対向していることが記載されている。また、モータを、設定された条件下で、正転させたり、逆転させており、モータを制御する制御手段があるものと認められる。
　そうすると、引用例には次のような発明が記載されている。
　自動改札用ゲート装置の挿入口に投入されたカードの有効無効を判定する、リード磁気ヘッド，ライト磁気ヘッド，ベリファイ（照合）磁気ヘッド、信号処理部とからなるカードリーダ／ライタと、
　自動改札用ゲート装置の挿入口に投入されたカードをカードリーダ／ライタから受け取りその自動改札用ゲート装置のカード取出口に向けて搬送させる、ベルト１２ｂとベルト１２ｃからなる搬送路と、ベルトローラ１２ｄと取出側ローラとの間の搬送路からなる、駆動モータによって駆動されるカード搬送機構と、
　ベルトローラ１２ｄと取出側ローラとの間の搬送路のカード取出口と反対側及びカード回収箱との間に設けられ、ベルトローラ１２ｄと取出側ローラとの間の搬送路からのカードをカード回収箱に導くカード回収通路と、
　カード搬送機構のベルト１２ｂとベルト１２ｃからなる搬送路のカード取出口側及びカード搬送機構のベルトローラ１２ｄと取出側ローラとの間の搬送路のカード取出口と反対側に、かつ、カード搬送機構のベルトローラ１２ｄと取出側ローラとの間の搬送路のカード取出口と反対側及びカード回収通路のカード回収箱の反対側の間に、設けられ、カードをベルト１２ｂとベルト１２ｃからなる搬送路からベルトローラ１２ｄと取出側ローラとの間の搬送路へ、またはベルトローラ１２ｄと取出側ローラとの間の搬送路からカードをベルト１２ｂとベルト１２ｃからなる搬送路を介してカード回収回路へ導くためのセレクト機構と、
　自動改札用ゲート装置に挿入口にカードが投入されカードリーダ／ライタから受け渡されたとき、駆動モータを正回転させ、カード搬送機構、セレクト機構を介してカードを自動改札用ゲート装置のカード取出口に搬送させ、その自動改札用ゲート装置のカード取出口にカードが放置されたときに、駆動モータを逆回転させ、カード搬送機構、セレクト機構を介して、カード回収通路に導けるようにし、そのカードをカード回収箱へ回収するように駆動モータを制御する制御手段と、
　からなる自動改札機用ゲート装置。」
　
３．対比
　引用例に記載の発明は、「遊園地などのクローズドエリア，あるいはエリア内の遊戯施設の入口に設置した自動改札用のカード式ゲート装置に関する」ものであり、本願発明は、「自動改札機」に関わるものであるが、両者とも券を挿入することで入場を可能にしたりするものであるから、技術分野は一致し、引用例の「自動改札用ゲート装置」は、本願発明の「自動改札機」に相当し、また引用例に記載の発明も、取り忘れ放置されたカードを集札しているものであるから「集札装置」を構成しているもの認められる。
　引用例記載の「挿入口」、「カード」、「取出口」、「駆動モータによって駆動されるカード搬送機構のベルト１２ｂとベルト１２ｃからなる搬送路」、「駆動モータによって駆動される搬送路のベルトローラ１２ｄと取出側ローラとの搬送路」、「カード回収箱」、「カード回収通路」、「セレクト機構」は、それぞれ、その果たしている機能からして、本願発明の「投入口」、「乗車券」、「返却口」、「主搬送路」、「駆動モータによって駆動される主搬送路」、「駆動モータによって駆動される返却搬送路」、「回収箱」、「回収路」、「ウイング機構」に相当する。
　そうすると本願発明と引用例に記載の発明とは、
　「自動改札機の投入口に投入された乗車券をその自動改札機の返却口側に向けて搬送させる、駆動モータによって駆動される主搬送路と、
　前記主搬送路で前記乗車券が搬送される途中、磁気ヘッドを介して読取，書込処理を行う手段と、
　前記主搬送路の前記自動改札機の返却口側及びその自動改札機の返却口間に設けられ、前記駆動モータによって駆動される乗車券を搬送させる返却搬送路と、
　前記返却搬送路の前記自動改札機の返却口側と反対側及びその自動改札機内に設けられた回収箱間に設けられ、その返却搬送路からの乗車券をその回収箱に導く回収路と、
　前記主搬送路の前記自動改札機の返却口側及び前記返却搬送路のその自動改札機の返却口側と反対側間に設けられるとともに、その返却搬送路のその自動改札機の返却口側と反対側及び前記回収路の前記回収箱側と反対側間に設けられ、乗車券をその主搬送路からその返却搬送路又はその返却搬送路からその回収路へ導くための可動ウイングからなるウイング機構と、
　投入された乗車券を、前記駆動モータを正回転させて前記主搬送路、前記ウイング機構及び前記返却搬送路を介してその乗車券をその自動改札機の返却口に搬送させ、その自動改札機の返却口に乗車券が放置されたときに、その駆動モータを逆回転させてその返却搬送路、そのウイング機構及び前記回収路を介してその乗車券を前記回収箱へ回収するようにその駆動モータを制御する制御手段と、
　からなることを特徴とする自動改札機用集札装置。」
で一致し、下記の点で相違している。
　相違点１：「処理を行う手段」が、本願発明では、「主搬送路で前記乗車券が搬送される途中、磁気ヘッドを介して読取，書込処理を行うとともに、必要に応じてパンチ・印字部によりパンチングや印字を行う処理手段」なのに対し、引用例に記載の発明では、「リード磁気ヘッド，ライト磁気ヘッド，ベリファイ（照合）磁気ヘッド、信号処理部とからなるカードリーダ／ライタ」であり、該カードリーダ／ライタが主搬送路の前に設けられている点。
　相違点２：本願発明が「自動改札機の投入口に乗車券が投入されたときに、前記駆動モータを正回転させて前記主搬送路」を介して搬送させるのに対し、引用例に記載の発明では、「自動改札用ゲート装置に挿入口にカードが投入されカードリーダ／ライタから受け渡されたとき、駆動モータを正回転させ、カード搬送機構」を介して搬送させている点。
　
４．判断
４−１．相違点１について
　乗車券やカードが使用された場合に、パンチ・印字部によりパンチングや印字を施すことは、普通に行われている本願出願前周知な技術事項であり、磁気ヘッドを介して読取，書込処理を行うとともに、必要に応じてパンチ・印字部によりパンチングや印字を行う処理手段を、どこにどのように設けるかは、当業者が自動改札機の大きさや構造に応じて適宜設計し得る事項であり、主搬送路の途中に、磁気ヘッドを介して読取，書込処理を行うとともに、必要に応じてパンチ・印字部によりパンチングや印字を行う処理手段を設けることは、当業者が適宜なし得ることである。
　
４−２．相違点２について
　引用例に記載の発明では、「自動改札用ゲート装置に挿入口にカードが投入されカードリーダ／ライタから受け渡されたとき、駆動モータを正回転させ、カード搬送機構」を介して搬送しており、つまりカード搬送機構にカードがカードリーダ／ライタから投入されたときに、駆動モータを正回転させて搬送させており、本願発明のように、自動改札機の投入口に乗車券が投入されたときに、駆動モータを正回転させて主搬送路に搬送させるようにすることは、引用例に記載の発明から容易に推考し得ることと認められる。
　
５．むすび
　以上のとおり、本願発明は、引用例に記載の発明及び周知事項に基づいて、当業者が容易に発明をすることができたものであるから、特許法第２９条第２項の規定により特許を受けることができない。
　よって、結論のとおり審決する。